(57)【特許請求の範囲】
【請求項１】
釣り用のルアーであって、
本体部と、
前記本体部に取り付け可能な一又は複数の装着部材と、
前記本体部の下方側に装着され、水に対して抵抗力を付与するリップと、を有しており、
前記本体部は、
前記装着部材を取り付けるための少なくとも一つの装着口と、
前記装着口に連通する固定孔と、を有しており、
前記装着部材は、
ワイヤと、
前記ワイヤの中間部に形成された第一曲部と、
前記第一曲部と所定の間隔を空けた位置に形成された第二曲部と、
前記第一曲部から前記第二曲部に亘って形成されると共に、前記装着口に収容可能なワイヤ取付部と、
前記第二曲部を基点として、下方へ延びるように形成された線材部と、を有しており、
前記リップは、前記本体部から下方に所定の長さで延びるように形成されており、
前記装着口は、前記本体部の外側から内側に向けて形成されると共に、前記リップの上方側に位置するように開口されており、
前記第二曲部は、前記リップに沿う方向に屈曲形成されており、
前記固定孔は、前記本体部の外側から内側に向けて形成されると共に、前記装着口に対して交差する方向に形成されており、
前記装着口に前記ワイヤ取付部が収容された状態において、前記固定孔を介して締結部材が挿通されることにより、前記ワイヤ取付部と前記締結部材とが係合して固定されており、
前記線材部は、前記ワイヤ取付部を前記装着口に収容した状態において、前記リップの上方側に位置すると共に、前記リップの下端部を基点として後方側に屈曲された第三曲部が形成されていること、を特徴とするルアー。
【請求項２】
前記第二曲部が、前記ワイヤにおいて前記装着口の開口端に沿って折り曲がった部分によって構成されていること、を特徴とする請求項１に記載のルアー。
【請求項３】
前記締結部材が、ネジ及びナットで構成されており、前記ネジ及び前記ナットのいずれか一方又は双方が錘として作用すること、を特徴とする請求項１又は２に記載のルアー。
【請求項４】
前記締結部材に、錘及び集魚部材のいずれか一方又は双方が取り付けられていること、を特徴とする請求項１〜３のいずれか１項に記載のルアー。
【請求項５】
前記集魚部材が、ゴム、又は樹脂材料を素材とする少なくとも１本の線状部材で形成されていること、を特徴とする請求項４に記載のルアー。
【請求項６】
前記線材部が、一対の前記ワイヤで形成されると共に、前記第二曲部から両端部に向けて拡幅されていること、を特徴とする請求項１〜５のいずれか１項に記載のルアー。
【請求項７】
前記線材部における一端側に懸架部が形成されており、
前記懸架部が、前記線材部の一端側を折り曲げた部分によって構成されていること、を特徴とする請求項１〜６のいずれか１項に記載のルアー。
【発明の詳細な説明】
【技術分野】
【０００１】
本発明は、釣りに用いられるルアー、及び当該ルアーに用いられる根掛り防止のためのフックガードに関する。
【背景技術】
【０００２】
従来、漁業やレジャー等の魚釣りにおいては、生餌に代えてルアー（疑似餌とも称する）が用いられることがある。前記ルアーは、対象魚に応じて、各種の形態のものが用いられる。例えば、ブラックバスやスズキ等の対象魚は、小魚を補食しており、当該対象魚を釣り上げるために小魚の形状をしたルアーが用いられることがある。前記ルアーは、集魚効果を上げるためにルアーの形や色彩等に工夫がなされている。
【０００３】
また、前記ルアーは、魚がルアーに食い付いたり、魚がルアーに触れたりした際にフックが魚に引っ掛かるようにフック（針とも称する）がルアー本体から露出するように取り付けられている。そのため、ルアーを遊泳させる際に、木や藻などの障害物にフックが引っ掛かって根掛りすることがあった。従って、根掛りを防止するために、フックの前方側に逆Ｖ字形状のワイヤ（フックガードとも称する）を取り付けたルアーが知られている（例えば、特許文献１）。前記ルアーは、フックガードにより、根掛りを回避しつつ、食い付いた魚には、フックが引っ掛かるものとされている。
【先行技術文献】
【特許文献】
【０００４】
【特許文献１】実用新案登録第３１９８０８９号公報
【発明の概要】
【発明が解決しようとする課題】
【０００５】
ところで、特許文献１の考案に係るフックガードは、矩形状の熱可塑性樹脂の平板に、ワイヤの基端側を埋め込んだ構造を有し、当該平板をルアー本体に両面テープで貼り付けることによって取り付けされている。そのため、ルアーの遊泳中に両面テープが剥がれて、ワイヤが脱落する問題があった。
【０００６】
また、最近では、集魚効果の向上にあたり、ルアーに各種の部材の取り付けを行いたいという要請がある。しかしながら、特許文献１の考案に係るルアーは、集魚効果を持たせた部材の取り付けには対応することができない問題があった。
【０００７】
そこで、本発明は、根掛り防止用のフックガードを確実に取り付けることができると共に、遊泳状態を変化させるための部材や集魚効果を有する部材等の各種の装着部材を取り付けることが可能なルアーを提供することを目的としている。また、本発明は、前記ルアーに適した根掛り防止用のフックガードを提供することを目的としている。
【課題を解決するための手段】
【０００８】
（１）上述した課題を解決すべく提供される本発明のルアーは、釣り用のルアーであって、本体部と、前記本体部に取り付け可能な一又は複数の装着部材と、を有し、前記本体部は、前記装着部材を取り付けるための少なくとも一つの装着口と、前記装着口に連通する固定孔と、を有し、前記装着部材は、前記装着口に収容可能な取付部と、前記装着口に前記取付部が収容された状態において、前記本体部の外側に露出する露出部と、を有しており、前記取付部は、前記装着口に収容された状態において前記固定孔に挿通される締結部材と係合することにより前記本体部に固定されること、を特徴とするものである。
【０００９】
上述したルアーは、装着部材が、取付部を有しており、当該取付部が、ルアーの本体部における装着口に収容された状態で、固定孔を介して締結部材により固定されるものとされている。従って、上述したルアーは、装着部材をルアーの本体部に確実に固定することができる。また、上述したルアーは、装着部材の種類に関係なく、共通の取付構造を提供することができる。そのため、上述したルアーは、各種の装着部材を交換可能に取り付けることができるので、汎用性の高いルアーを提供することができる。ここで、装着口及び取付部の形状や大きさは、各種のものとすることができる。例えば、装着口は、矩形状、円形、楕円形などとすればよい。また、取付部は、装着口に挿入可能な各種の形状のものとすることができる。例えば、取付部は、矩形の板状に形成され、締結部材を挿通可能な開孔を有するものとすることができる。また、装着部材が、例えば、ワイヤで形成されている場合は、取付部として、ワイヤをＵ字形状に曲げたものや円環状に形成したものなどとすればよい。なお、装着口は、装着部材に応じて、適宜の個数で形成すればよい。
【００１０】
（２）上述した本発明のルアーは、前記装着口が、前記本体部の外側から内側に向けて形成されており、前記固定孔が、前記本体部の外側から内側に向けて形成されると共に、前記装着口に対して交差する方向に形成されており、前記装着口に前記取付部が収容された状態において、前記固定孔を介して前記締結部材が挿通されることにより、前記取付部と前記締結部材とが係合して固定されるものであるとよい。
【００１１】
上述したルアーは、取付部が装着口に収容された状態において、固定孔を介して締結部材を取付部に対して交差する方向から挿通することができる。これにより、取付部と締結部材とを係合させて固定することができる。従って、ルアーの本体部と、装着部材とを確実に固定することができる。また、上述した構成によれば、装着部材の種類に関係なく、共通の取付構造を提供することができる。そのため、上述した構成によれば、各種の装着部材を交換可能に取り付けることが可能となり、汎用性の高いルアーを提供することができる。
【００１２】
（３）上述した本発明のルアーにおける前記装着口は、前記取付部を収容した状態において、前記装着口の開口端に沿って前記装着部材を折り曲げ可能であるとよい。
【００１３】
かかる構成によれば、ルアーにおける装着口を、装着部材の加工用の治具とすることができる。これにより、装着部材を、釣場の環境に合わせて、折り曲げることができる。ここで、前記折り曲げは、例えば、装着口の上下の開口端に沿った上下方向の折り曲げや、装着口の左右の開口端に沿った左右方向（幅方向）への折り曲げなど、各種の方向への折り曲げを含むものとすることができる。なお、装着口の開口端の形状は、矩形や、円形、楕円形など、各種の形状のものとすることができる。
【００１４】
（４）上述した本発明のルアーは、前記露出部が、水に対して抵抗を付与するリップ、錘、集魚部材、又は、フックガードの一又は複数から形成されているとよい。
【００１５】
かかる構成によれば、ルアーに各種の機能を付与することができる。装着部材の露出部が、水に対して抵抗を付与するリップである場合は、例えば、ルアーに振動を与えたり、ルアーを水中に潜らせたり、あるいは、水面から飛び跳ねさせたりするなどの機能を付与できる。これにより、ルアーによる釣果の向上が期待できる。ここで、リップの形状は、各種の形状や大きさのものとすればよい。
【００１６】
また、前記露出部が、錘である場合は、ルアーの重量バランスを変化させることができ、例えば、ルアーを水中に沈ませることができる。これにより、釣果の向上が期待できる。ここで、錘の形状は、各種の形状や大きさのものとすることができ、例えば、集魚効果のある形状のものとすることもできる。
【００１７】
また、前記露出部が、集魚部材である場合は、集魚効果により、釣果を向上させることができる。ここで、集魚部材は、例えば、ワーム（みみず等を模したゴム部材）や光を反射させるような板状部材など、各種の集魚効果を有する部材を用いることができる。また、集魚部材に線状部材を用いる場合は、前記線状部材が、フックの先端に至る程度の長さに形成されているとよい。かかる構成とすることにより、フックが魚に視認されることを抑制でき、魚の警戒心を緩和させることができる。これにより、釣果向上の効果が期待できる。また、フックの根掛りを抑制する効果も期待できる。
【００１８】
また、前記露出部が、フックガードである場合は、フックが根掛りすることを抑制することができる。ここで、フックガードは、例えば、一定の形状を保持することが可能なワイヤ等を素材とした各種の形状や大きさのものを用いることができる。例えば、フックガードは、ワイヤを逆Ｖ字形状に屈曲させたものなどを好ましく用いることができる。
【００１９】
（５）上述した本発明のルアーは、前記締結部材に、錘及び集魚部材のいずれか一方又は双方を取り付けることが可能なものであるとよい。
【００２０】
かかる構成によれば、装着部材の取り付けに用いられる締結部材を利用して、錘及び集魚部材のいずれか一方又は双方を取り付けることができる。そのため、上述した構成によれば、装着部材の効果を活かしつつ、新たに集魚効果を付与することができる。これにより、釣果の向上が期待できる。また、錘や集魚部材の設置スペースを集約できるので、ルアーの小型化が容易となる。
【００２１】
（６）上述した本発明のルアーは、前記締結部材が、ネジ及びナットで構成されており、前記ネジ及び前記ナットのいずれか一方又は双方が錘として作用するものであるとよい。
【００２２】
かかる構成によれば、締結部材そのものを錘として機能させることができる。これにより、錘をルアーの本体部に内蔵させたり、前記本体部と一体化させたりすることが可能である。そのため、ルアーの外観を損ねることを抑制でき、釣果の向上が期待できる。
【００２３】
（７）上述した本発明のルアーは、前記集魚部材が、ゴム、又は樹脂材料を素材とする少なくとも１本の線状部材で形成されるものであるとよい。
【００２４】
かかる構成によれば、線状部材が、水中で揺らいで集魚効果を発揮するので、釣果の向上が期待できる。ここで、線状部材は、フックガードの先端又はフックの先端に至る程度の長さに形成するとよい。かかる構成とすることにより、フックが魚に視認されることを抑制でき、魚の警戒心を緩和させる効果が期待できる。これにより、釣果の向上が期待できる。また、フックの根掛りを抑制する効果も期待できる。
【００２５】
（８）上述した課題を解決すべく提供される本発明のルアーは、釣り用のルアーであって、本体部と、前記本体部に取り付け可能な一又は複数の装着部材と、を有しており、前記本体部は、前記装着部材を取り付けるための少なくとも一つの装着口と、前記装着口に連通する固定孔と、を有しており、前記装着部材は、ワイヤと、前記ワイヤの中間部に形成された第一曲部と、前記第一曲部と所定の間隔を空けた位置に形成された第二曲部と、  前記第一曲部から前記第二曲部に亘って形成されると共に、前記装着口に収容可能なワイヤ取付部と、前記第二曲部を基点として、下方へ延びるように形成された線材部と、を有しており、前記装着口は、前記本体部の外側から内側に向けて形成されており、前記固定孔は、前記本体部の外側から内側に向けて形成されると共に、前記装着口に対して交差する方向に形成されており、前記装着口に前記ワイヤ取付部が収容された状態において、前記固定孔を介して締結部材が挿通されることにより、前記ワイヤ取付部と前記締結部材とが係合して固定されること、を特徴とするものである。
【００２６】
上述したルアーは、装着部材がワイヤで形成され、第一曲部から第二曲部に亘ってワイヤ取付部が形成されたものとされている。また、ワイヤ取付部は、ルアーの本体部に形成された装着口に収容された状態で、固定孔を介して締結部材により固定されるものとされている。従って、上述したルアーは、ワイヤ取付部を介して、装着部材を、ルアーの本体部に確実に固定することができる。ここで、装着口は、例えば、フックの取り付け位置よりも前方側に配置するとよい。これにより、装着部材における線材部を、フックよりも前方側に配置することができ、フックの根掛りを効果的に抑制することが期待できる。
【００２７】
（９）上述した本発明のルアーは、前記第二曲部が、前記ワイヤ取付部を前記装着口に収容した状態において、前記ワイヤを前記装着口の開口端に沿って折り曲げることにより形成されるものであるとよい。
【００２８】
かかる構成によれば、ルアーにおける装着口を、第二曲部の加工用の治具とすることができる。これにより、装着部材を、釣場の環境に合わせて、折り曲げることができる。ここで、前記折り曲げは、例えば、装着口の上下の開口端に沿った上下方向の折り曲げや、装着口の左右の開口端に沿った左右方向（幅方向）への折り曲げなど、各種の方向への折り曲げを含むものとすることができる。なお、装着口の開口端の形状は、矩形や、円形、楕円形など、各種の形状のものとすることができる。
【００２９】
（１０）上述した本発明のルアーは、前記線材部が、一対の前記ワイヤで形成されると共に、前記第二曲部から両端部に向けて拡幅されているものであるとよい。
【００３０】
かかる構成によれば、線材部における拡幅された部分が、フックよりも先に障害物に接触し、フックが障害物に接触して引っ掛かることを抑制できる。また、ルアーの本体部が障害物に接触して引っ掛かることを抑制できる。これらにより、ルアーが根掛りすることを抑制できる。なお、線材部は、一定の形状を保持すると共に、一定の弾性を有するものとするとよい。
【００３１】
（１１）上述した本発明のルアーは、前記本体部の下方側に水に対して抵抗力を付与するリップが装着されており、前記リップは、前記本体部から下方に所定の長さで延びるように形成されており、前記装着口は、前記リップの上方側に位置するように開口されており、前記第二曲部が、前記リップに沿う方向に屈曲形成されており、前記線材部は、前記ワイヤ取付部を前記装着口に収容した状態において、前記リップの上方側に位置すると共に、前記リップの下端部を基点として後方側に屈曲された第三曲部が形成されているものであるとよい。
【００３２】
上述したルアーは、本体部の下方側にリップが装着されており、装着口が、当該リップの上方側に位置するように開口されている。そのため、上述したルアーは、装着口に線材部を収容した際に、線材部の一部がリップと重なることになる。また、上述したルアーは、線材部が、リップの下端部を基点として後方側に屈曲されることにより、第三曲部が形成されている。これにより、上述したルアーは、第三曲部から先の線材部が、リップの下端部から下方に突出し、フックの根掛りを抑制することができる。
【００３３】
（１２）上述した本発明のルアーは、前記線材部における一端側に懸架部が形成されているものであるとよい。
【００３４】
かかる構成によれば、懸架部に、例えば、集魚部材等を懸架することができる。これにより、上述したルアーは、線材部による根掛り抑制機能を活かしつつ、ルアーに集魚効果を付与することができる。ここで、懸架部は、取り付ける部材に応じて各種の形状のものとすることができる。例えば、懸架部は、線材部を円環状に折り曲げて形成するとよい。また、集魚部材には、例えば、ワームや光沢のあるブレードなど、各種のものを用いることができる。
【００３５】
（１３）上述した課題を解決すべく提供される本発明のフックガードは、一定の形状を保持可能なワイヤで形成された釣り用のルアーに装着されるフックガードであって、前記ワイヤの中間部に形成された第一曲部と、前記第一曲部と所定の間隔を空けた位置に形成された第二曲部と、前記第一曲部から前記第二曲部に亘って形成されたワイヤ取付部と、前記第二曲部を基点として、下方へ延びるように形成された線材部と、を有していること、を特徴とするものである。
【００３６】
上述したフックガードは、第一曲部から第二曲部に亘って形成されたワイヤ取付部により、フックガードをルアーの本体部に確実に固定することができる。これにより、上述したルアーは、ルアーの遊泳中にフックガードが、脱落することを抑制でき、フックの根掛りを安定に抑制できる。ここで、第一曲部は、装着口に挿入可能なように、例えば、装着口の幅に合わせてＵ字形状に形成するとよい。これにより、ルアーの本体部にフックガードを取り付ける際に、第一曲部に、例えば、ボルト等の締結部材を引っ掛けることにより、固定することができる。
【００３７】
（１４）上述した本発明のフックガードは、前記第二曲部が、前記ワイヤ取付部を、前記ルアーに設けられた装着口に収容した状態において、前記装着口の開口端に沿って折り曲げることにより形成されるものであるとよい。
【００３８】
かかる構成によれば、ルアーにおける装着口を、第二曲部の加工用の治具とすることができる。これにより、上述したフックガードは、装着部材を、釣場の環境に合わせて、折り曲げることができる。ここで、前記折り曲げは、例えば、装着口の上下の開口端に沿った上下方向の折り曲げや、装着口の左右の開口端に沿った左右方向（幅方向）への折り曲げなど、各種の方向への折り曲げを含むものとすることができる。なお、装着口の開口端の形状は、矩形や、円形、楕円形など、各種の形状のものとすることができる。
【００３９】
（１５）上述した本発明のフックガードは、前記線材部が、一対の前記ワイヤで形成されると共に、前記第二曲部から両端部に向けて拡幅されているものであるとよい。
【００４０】
かかる構成によれば、線材部における拡幅された部分が、フックよりも先に障害物に接触し、フックが障害物に接触して引っ掛かることを抑制できる。また、上述したフックガードは、ルアーの本体部が障害物に接触して引っ掛かることを抑制できる。これらにより、ルアーが根掛りすることを抑制できる。なお、線材部は、一定の形状を保持すると共に、一定の弾性を有するものとするとよい。
【００４１】
（１６）上述した本発明のフックガードは、前記線材部の一端側に懸架部が形成されているものであるとよい。
【００４２】
かかる構成によれば、懸架部に、例えば、集魚部材等を懸架することができる。これにより、上述したフックガードは、線材部による根掛り抑制機能を活かしつつ、ルアーに集魚効果を付与することができる。ここで、懸架部は、取り付ける部材に応じて各種の形状のものとすることができる。例えば、懸架部は、線材部を円環状に折り曲げて形成するとよい。また、集魚部材には、例えば、ワームや光沢のあるブレードなど、各種のものを用いることができる。
【００４３】
（１７）上述した本発明のフックガードは、前記線材部が、前記第一曲部及び前記第二曲部の他に一又は複数の曲部を有するものであるとよい。
【００４４】
かかる構成によれば、釣場の環境に応じて、各種の形状のフックガードを提供することができる。例えば、上述したフックガードは、リップを有するルアーにおいて、リップの形状に合わせて、曲部を形成することができる。これにより、リップに阻害されずにフックガードを適正に機能させることができる。
【発明の効果】
【００４５】
本発明によれば、根掛り防止用のフックガードを確実に取り付けることができると共に、遊泳状態の変化させるための部材や集魚効果を有する部材等の各種の装着部材を取り付けることが可能なルアーを提供することができる。また、本発明によれば、前記ルアーに適した根掛り防止用のフックガードを提供することができる。
【図面の簡単な説明】
【００４６】
【図１】（ａ）は、本発明の第一実施形態に係るルアーを表す外観斜視図であり、（ｂ）は、本発明の第一実施形態に係るルアーの正面図である。
【図２】（ｃ）は、本発明の第一実施形態に係るルアーの左側面図であり、（ｄ）は、本発明の第一実施形態に係るルアーの底面図である。
【図３】本発明の第一実施形態に係るルアーの縦方向断面図である。
【図４】（ａ）は、本発明の第一実施形態に係るルアーを底面方向から見た一部分解斜視図であり、（ｂ）は、本発明の第一実施形態に係るフックガードの外観斜視図である。
【図５】本発明の第一実施形態に係るルアーにおいてフックガードを形成する場合の第一変形例を表す説明図である。
【図６】本発明の第二変形例に係るルアーを表す一部分解斜視図である。
【図７】（ａ）は、本発明の第二実施形態に係るルアーを表す正面図であり、（ｂ）は、本発明の第二実施形態に係るルアーの左側面図である。
【図８】本発明の第二実施形態に係るルアーにおいてフックガードを形成する場合の一例を表す説明図である。
【図９】本発明の第二実施形態に係るルアーの一部分解斜視図である。
【発明を実施するための形態】
【００４７】
≪第一実施形態≫
本発明に係るルアー及びフックガードの第一実施形態について、図１〜図６を参照しながら、以下に詳細を説明する。なお、図１〜図９の各図において、フックは省略して描いてあることに留意されたい。また、第一実施形態では、ルアー１Ａに装着部材３としてのフックガード３０Ａが装着されている場合を例として説明する。
【００４８】
図１及び図２に示すように、ルアー１Ａは、魚の形状に形成された本体部１０と、本体部１０に装着されるフックガード３０Ａ等、を備えており、釣り用に供されるものである。
【００４９】
本体部１０は、本実施形態では、頭と胴体の一部とを有する頭部１０ａと、胴体中央部１０ｂと、胴体後方部１０ｃと、尻部１０ｄと、の４つの部位に分割して形成されている。本体部１０は、例えば、樹脂材料を素材として成型することにより形成されている。また、本体部１０は、図５に示すように、幅方向に二分される左右一対の成型部材をビス等で接合して形成され、中空構造を有している。
【００５０】
図３及び図５に示すように、頭部１０ａ、胴体中央部１０ｂ、及び胴体後方部１０ｃは、それぞれ左右方向への揺動を許容するリング１２により連結されている。また、胴体後方部１０ｃ及び尻部１０ｄは、左右方向への揺動を許容する連結部材１３により連結されている。これらにより、本体部１０は、魚体のごとく左右に揺動（蛇行）しながら水中を遊泳することができる。なお、頭部１０ａ、胴体中央部１０ｂ、胴体後方部１０ｃ、及び尻部１０ｄの連結は、リング１２や連結部材１３に代えて、ワイヤや糸などで連結するようにしてもよい。また、本体部１０は、分割されたものだけではなく、一体的に形成されたものや各種の個数に分割されたものなど、使用する環境や釣魚の種類等に応じて適宜変更することができる。また、本体部１０を中空構造とするか否かは、ルアー１Ａを使用する環境や製造工程等を考慮して、適宜選択すればよい。
【００５１】
頭部１０ａは、前端側の幅方向中央付近に釣糸（図示せず）を接続するためのアイ１４が設けられている。ルアー１Ａは、アイ１４に釣糸を接続した状態で、当該釣糸を牽引することにより、水中や水面付近において遊泳させることができる。また、頭部１０ａ及び胴体後方部１０ｃの下方には、それぞれフック（図示せず）を取り付けるためのアイ１５が設けられている。フックは、各種のものを使用することができ、例えば、先端が３つに枝分かれしたものを用いることができる。なお、アイ１４及びアイ１５を設ける位置は、使用する環境等に応じて、適宜変更することが可能である。
【００５２】
頭部１０ａは、図１及び図２に示すように、左右一対の目１６、１６と、ヒレ１７，１７が設けられている。目１６，１６は、魚に模した形状や色彩により形成されている。ヒレ１７，１７は、例えば、図示のように左右側に突出するように形成されており、ルアー１Ａを遊泳させる際に、水に対して抵抗力を付与することができる。ヒレ１７，１７は、本実施形態では、本体部１０に対して上下方向に回動可能に設けられており、適宜、ヒレ１７，１７の方向を変更することができる。なお、ヒレ１７，１７は、水に抵抗力を付与するものだけではなく、集魚効果を発する模様が描かれたものなど、各種の形態のものを用いることができる。また、ヒレ１７，１７は、回動可能なものだけではなく、固定されたものでもよい。また、目１６やヒレ１７は、適宜設ければよく、目１６やヒレ１７を備えないものとすることもできる。
【００５３】
図２、図３、及び図４（ａ）に示すように、本体部１０における頭部１０ａは、装着部材３を収容する装着口２０と、装着口２０に連通する固定孔２１と、装着部材３を固定するための締結部材２２等を有している。
【００５４】
装着口２０は、フックガード３０Ａに設けられるワイヤ取付部３４やその他の装着部材３に設けられる取付部４４を収容可能なように、本体部１０の外側から内側に向けて所定の深さとなるように形成されている。装着口２０は、本体部１０の表面に開口し、本実施形態では、フック（図示せず）よりも前方側に位置するように配置されている。これにより、フックガード３０Ａを、フックよりも前方側に配置することができ、フックの根掛りを効果的に抑制することができる。また、装着口２０は、図２（ｃ）に示すように前面視において、横方向が長手となるように略矩形状に開口した開口端２０ａを有している。なお、装着口２０や開口端２０ａの形状や大きさは、後述するワイヤ取付部３４や取付部４４の形状に合わせて、各種のものとすることができる。例えば、装着口２０の開口端２０ａは、矩形状、円形、楕円形などとすればよい。
【００５５】
図３〜図５に示すように、装着口２０から所定距離後方には、固定孔２１が、装着口２０と連通するように形成されている。固定孔２１は、本体部１０の外側から内側に向けて形成されると共に、装着口２０に対して交差する方向（本実施形態では、上下方向）に形成されている。
【００５６】
固定孔２１の内部には、図３に示すように、締結部材２２としてのナット２３及びネジ２４が設けられている。ナット２３には、本実施形態では、所定の重量を有する錘２３ａが設けられている。そのため、ルアー１Ａは、適宜のバランスを保ちながら遊泳することができる。上述したように、ナット２３に錘２３ａを設けることにより、錘２３ａを設ける設置スペースを集約でき、ルアー１Ａの外観を損ねることを抑制することができる。なお、錘２３ａの重量は、ルアー１Ａの形状や材質等に合わせて変更することができる。
【００５７】
ネジ２４は、固定孔２１に挿通されることにより、中間部分が、ナット２３と螺合すると共に、先端側が、後述するワイヤ取付部３４や取付部４４と引っ掛かる（係合する）。これにより、ワイヤ取付部３４や取付部４４を装着口２０に確実に固定することができる。なお、ネジ２４には、後述する第二実施形態のように、適宜、錘５０や集魚部材５１などの各種の部材を取り付けることができる。また、ネジ２４に重量を付与してネジ２４自体を錘５０として機能させることもできる。
【００５８】
次に、装着口２０に装着されるフックガード３０Ａ（装着部材３とも称する）について、図１〜図４を参照しながら、以下に詳細を説明する。
【００５９】
図４（ａ）及び図４（ｂ）に示すように、フックガード３０Ａは、本実施形態では、一定の形状を保持可能な、例えば、ピアノ線等の金属製のワイヤで形成されている。フックガード３０Ａは、第一曲部３２と、一対の第二曲部３３，３３と、第一曲部３２から第二曲部３３，３３に亘って形成されたワイヤ取付部３４と、を有している。また、フックガード３０Ａは、前記の他、第二曲部３３，３３を基点として、下方へ延びるように形成された一対の線材部３５Ｌ，３５Ｒを有している。
【００６０】
第一曲部３２は、ワイヤの中間部（本実施形態では、略中央）をＵ字形状に折り曲げることにより形成されている。第一曲部３２は、両側に位置するワイヤの間隔が、装着口２０に挿入可能な幅となるように形成されている。第一曲部３２は、Ｕ字形状の他、環状のものやフック状のものなど各種の形状に形成することができる。なお、第一曲部３２は、ネジ２４で固定する際に、ネジ２４と係合可能な形状とすることが望ましい。
【００６１】
第二曲部３３は、ワイヤを、第一曲部３２を挟んで所定の間隔を空けた位置で折り曲げることにより形成されている。第二曲部３３は、本実施形態では、第一曲部３２を挟んで両側に対となるように形成されている。第二曲部３３，３３の曲げ方向は、後述する線材部３５Ｌ，３５Ｒに応じて、適宜変更することができる。
【００６２】
ワイヤ取付部３４は、第一曲部３２から第二曲部３３に亘って形成されている。すなわち、装着口２０に挿入可能なＵ字形状の突出部分が、ワイヤ取付部３４を形成している。ワイヤ取付部３４は、装着部材３における取付部４４に相当するものである。ワイヤ取付部３４は、装着口２０に挿入することにより、装着口２０の内部に収容される。図３及び図４（ａ）に示すように、装着口２０にワイヤ取付部３４が収容された状態において、固定孔２１を介してネジ２４（締結部材２２）が挿通されることにより、ワイヤ取付部３４とネジ２４とが係合すると共に、ネジ２４とナット２３とが螺合する。これにより、ワイヤ取付部３４が、装着口２０に固定される。従って、ルアー１Ａの本体部１０にフックガード３０Ａを確実に固定することができる。
【００６３】
線材部３５Ｌ，３５Ｒは、第二曲部３３，３３を基点として下方に延びるように形成されている。線材部３５Ｌ，３５Ｒは、装着部材３における露出部４５に相当するものである。線材部３５Ｌ，３５Ｒは、第一曲部３２の両側に位置するワイヤをそれぞれ第二曲部３３を基点に所定の方向に折り曲げることにより形成することができる。なお、線材部３５は、一定の形状を保持すると共に、一定の弾性を有するものとするとよい。
【００６４】
ここで、本実施形態では、線材部３５Ｌ，３５Ｒが、第二曲部３３，３３から両端部に向けて拡幅されている。すなわち、線材部３５Ｌ，３５Ｒが逆Ｖ字形状に形成されている。従って、線材部３５における拡幅された部分が、フックよりも先に障害物に接触し、フックが障害物に接触して引っ掛かることを抑制できる。また、ルアー１Ａの本体部１０が障害物に接触して引っ掛かることを抑制できる。これらにより、ルアー１Ａが根掛りすることを抑制できる。また、本実施形態では、第二曲部３３，３３において、線材部３５Ｌ，３５Ｒが、それぞれ遊泳方向の後方側に向けて傾斜するように折り曲げ形成されている。従って、障害物に線材部３５Ｌ，３５Ｒが引っ掛かることをより一層抑制することができる。
【００６５】
以上が、本発明の第一実施形態に係るルアー１Ａ及びフックガード３０Ａの構成であり、次にフックガード３０Ａを形成する場合の第一変形例について図５を参照しながら、以下に詳細を説明する。なお、図５は、理解を容易にするために、本体部１０を分割した状態で描いているが、フックガード３０Ａを形成する際は、本体部１０を接合した状態で行うことに留意されたい。また、第一実施形態と同一の部品には同一の符号を用いていることに留意されたい。
【００６６】
≪第一変形例≫
上述した第一実施形態では、フックガード３０Ａにおける第一曲部３２と、第二曲部３３とが、事前に形成された状態で提供されている。これに対し、第一変形例では、例えば、第一曲部３２が事前に形成されており、第二曲部３３が事後的に形成される。
【００６７】
図５に示すように、中間部でＵ字形状に折り返されて、第一曲部３２が形成されることによりワイヤ取付部３４が形成されたワイヤが、装着口２０に収容される。ワイヤ取付部３４が装着口２０に収容された状態において、ワイヤを装着口２０の開口端２０ａに沿って折り曲げることにより一対の第二曲部３３，３３が形成される。すなわち、第一変形例によれば、ルアー１Ａにおける装着口２０を、第二曲部３３の加工用の治具とすることができる。これにより、フックガード３０Ａを、釣場の環境に合わせて、適時に折り曲げることができる。
【００６８】
ここで、前記折り曲げは、例えば、上下の開口端２０ａに沿った上下方向の折り曲げや、左右の開口端２０ａに沿った左右方向（幅方向）への折り曲げなど、各種の方向への折り曲げを含むものとすることができる。なお、開口端２０ａの形状は、矩形や、円形、楕円形など、各種の形状のものとすることができる。また、開口端２０ａは、ワイヤの折り曲げだけではなく、後述するリップ４０等の他の装着部材３を折り曲げることも可能である。
【００６９】
以上が、第一変形例に係るルアー１Ａ及びフックガード３０Ａの構成であり、次に、フックガード３０Ａに代えて、装着部材３としてリップ４０が装着された第二変形例について、以下に説明する。第二変形例においても、第一実施形態と同一の部材には、同一の符号を使用していることに留意されたい。
【００７０】
≪第二変形例≫
図６に示すように、第二変形例では、本体部１０の装着口２０に、リップ４０が装着されている。リップ４０は、例えば、樹脂や金属等を素材とした板状の部材で形成されており、装着口２０に装着するための取付部４４と、リップ４０の本体を形成する露出部４５とを有している。
【００７１】
取付部４４は、露出部４５の上端側から延びるように形成された突出部分を、露出部４５の上端側のリップ曲部４３で折り曲げることで形成されている。リップ曲部４３は、フックガード３０における第二曲部３３に相当するものである。取付部４４は、装着口２０に収容可能なように、装着口２０よりもやや小さく形成されている。また、取付部４４は、固定孔２１と対応する位置に孔が形成されており、当該孔にネジ２４を螺合又は挿通することにより、リップ４０を本体部１０に固定することができる。
【００７２】
露出部４５は、リップ形状に形成されており、水に対して抵抗力を付与することができる。リップの形状、大きさ、色等は、釣場の環境に合わせて、適宜変更することができる。このように露出部４５が、リップ４０である場合は、例えば、ルアー１Ａに振動を与えたり、ルアー１Ａを水中に潜らせたり、あるいは、水面から飛び跳ねさせたりするなどの機能を付与できる。これにより、ルアー１Ａによる釣果の向上が期待できる。
【００７３】
このように、第二変形例では、フックガード３０Ａに代えて、リップ４０を装着口２０に交換可能に装着することができる。すなわち、装着部材３の種類に関係なく、共通の取付構造を提供することができる。そのため、各種の装着部材３を交換可能に取り付けることができるので、汎用性の高いルアーを提供することができる。
【００７４】
なお、第二変形例では、装着部材３における露出部４５がリップ４０である場合を例示したが、リップ４０に代えて、露出部４５として錘及び集魚部材等を用いることも可能である。ここで、露出部４５が錘である場合は、ルアー１Ａの重量バランスを変化させることができ、例えば、ルアー１Ａを水中に沈ませることができる。これにより、釣果の向上が期待できる。ここで、錘の形状は、各種の形状や大きさのものとすることができ、例えば、集魚効果のある形状のものとすることもできる。
【００７５】
また、露出部４５が、集魚部材である場合は、集魚効果により、釣果を向上させることができる。ここで、集魚部材は、ゴム、又は樹脂材料を素材とする少なくとも１本の線状部材で形成されるものであるとよい。例えば、集魚部材は、ワーム（みみず等を模したゴム部材）や光を反射させるようなブレード（例えば、スプーンやスピナーとも称されるルアー部材）など、各種の集魚効果を有する部材を用いることができる。また、集魚部材に線状部材を用いる場合は、前記線状部材が、フックの先端に至る程度の長さに形成されているとよい。かかる構成とすることにより、フックが魚に視認されることを抑制でき、魚の警戒心を緩和させることができる。これにより、釣果向上の効果が期待できる。また、フックの根掛りを抑制する効果も期待できる。なお、線状部材の形状や長さは、釣場の環境や釣魚に合わせて変更することができる。
【００７６】
このように、第一実施形態や第二変形例によれば、装着部材３の種類に関係なく、共通の取付構造を提供することができる。そのため、各種の装着部材３を交換可能に取り付けることができるので、汎用性の高いルアー１Ａを提供することができる。
【００７７】
以上が、第二変形例の構成であり、次に、装着口２０の近傍にリップ１８が固定されたルアー１Ｂにフックガード３０Ｂを取り付ける場合を例とした第二実施形態について、以下に詳細を説明する。
【００７８】
≪第二実施形態≫
第二実施形態におけるルアー１Ｂは、リップ１８が装着口２０の下方側に固定されていることと、本体部１０が３分割で形成されている以外は、第一実施形態におけるルアー１Ａと同様であるので、同様部分の説明は省略する。また、図示において、第一実施形態と同一の部材には、同一の符号を用いていることに留意されたい。
【００７９】
図７〜図９に示すように、ルアー１Ｂは、頭部１０ａと、胴体中央部１０ｂと、尻部１０ｄと、を有している。装着口２０は、頭部１０ａにおけるリップ１８の上方側に位置するように開口されている。ルアー１Ｂは、装着口２０の下方側にリップ１８が固定されている。リップ１８は、頭部１０ａに固定するための固定部１８ａと、頭部１０ａから露出するリップ部１８ｂと、を有している（図８及び図９参照）。
【００８０】
固定部１８ａは、頭部１０ａに対して前方側に向けて下り傾斜となるように接着等により固定されている。また、固定部１８ａは、頭部１０ａに固定された状態において、上面側が装着口２０の下面を形成している。そのため、ワイヤ取付部３４を装着口２０に収容した状態において、ワイヤ取付部３４の下面側を、下方から支持することができる。なお、固定部１８ａは、頭部１０ａと一体的に形成することもできる。また、固定部１８ａが装着口２０に収容された状態で固定することもできる。かかる場合は、同一の装着口２０にワイヤ取付部３４と、固定部１８ａと、を固定すればよい。
【００８１】
リップ部１８ｂは、固定部１８ａの下端側から所定の長さで延びるように形成されている。第二実施形態では、リップ部１８ｂが、固定部１８ａの傾斜方向よりもさらに下方側に向けて傾斜するように形成されている。リップ部１８ｂは、ルアー１Ｂを水中で遊泳させる際に、水に対して抵抗力を付与できる。これにより、ルアー１Ｂに集魚効果を付与することができる。
【００８２】
フックガード３０Ｂは、線材部３５Ｌ，３５Ｒの形状が異なる以外は、第一実施形態で説明したフックガード３０Ａと同様であるので、同様の部分の説明は省略する。フックガード３０Ｂは、ワイヤで形成され、第一曲部３２と、第二曲部３３と、ワイヤ取付部３４と、線材部３５Ｌ，３５Ｒと、を有している。フックガード３０Ｂは、前記の他、線材部３５Ｌ，３５Ｒに、第三曲部３６と、懸架部３７と、を有している。
【００８３】
第二曲部３３は、リップ部１８ｂ（リップ１８）に沿う方向（下方側）に屈曲形成されている。従って、線材部３５Ｌ，３５Ｒは、ワイヤ取付部３４を装着口２０に収容した状態において、リップ部１８ｂの上方側に位置する。また、線材部３５Ｌ，３５Ｒは、リップ部１８ｂよりも所定長さ分、長く形成されている。従って、線材部３５Ｌ，３５Ｒは、一部がリップ部１８ｂと重なると共に、下端側がリップ部１８ｂから下方側に突出している。
【００８４】
第三曲部３６は、リップ部１８ｂの下端部を基点として、線材部３５Ｌ，３５Ｒの下端側を後方側に屈曲させることにより形成されている。従って、突出した線材部３５Ｌ，３５Ｒの下端側により、フックの根掛りを抑制することができる。
【００８５】
懸架部３７は、線材部３５Ｌ，３５Ｒの下端側に形成されている。懸架部３７は、各種の集魚部材を懸架可能なように線材部３５Ｌ，３５Ｒを円環状に折り曲げることにより形成されている。ここで、集魚部材は、上述と同様に、例えば、ワームや光沢のあるブレード、あるいは、線状部材など、各種のものを用いることができる。なお、懸架部３７は、集魚部材を懸架可能なものであれば、各種の形状に形成することができる。
【００８６】
また、第二実施形態では、締結部材２２としてのネジ２４の頭部に錘５０及び集魚部材５１が取り付けられている。集魚部材５１は、図８に示すように、ゴム、又は樹脂材料を素材とする少なくとも１本の線状部材で形成されるものであるとよい。これにより、線状部材が、水中で揺らいで集魚効果を発揮するので、釣果の向上が期待できる。また、線状部材は、フックガード３０の先端又はフック（図示せず）の先端に至る程度の長さに形成するとよい。かかる構成とすることにより、フックが魚に視認されることを抑制でき、魚の警戒心を緩和させることができる。これにより、釣果向上の効果が期待できる。また、フックの根掛りを抑制する効果も期待できる。なお、線状部材の形状や長さは、釣場の環境や釣魚に合わせて変更することができる。
【００８７】
上述したように、本発明に係るルアー１（１Ａ，１Ｂ）によれば、装着部材３の取り付けに用いられる締結部材２２を利用して、錘５０及び集魚部材５１を取り付けることができる。そのため、装着部材３の効果を活かしつつ、新たに集魚効果を付与することができる。これにより、釣果の向上が期待できる。また、錘５０や集魚部材５１の設置スペースを集約することができるので、ルアーの小型化が容易となる。また、締結部材２２そのものを錘５０として機能させることができる。これにより、錘５０をルアー１の本体部１０に内蔵させたり、本体部１０と一体化させたりすることが可能である。そのため、ルアー１の外観を損ねることを抑制することができ、釣果の向上が期待できる。なお、第二実施形態では、ネジ２４に錘５０及び集魚部材５１の双方を設けるようにしているが、錘５０及び集魚部材５１のいずれか一方が設けられるものでもよい。また、懸架部３７を排したり、錘５０や集魚部材５１を排したりすることもできる。
【００８８】
以上が、本発明のルアー及びフックガードに係る第二実施形態の構成であるが、本発明は、上述の実施形態に限定されるものではなく、各種の変形を行うことができる。
【００８９】
本実施形態では、装着部材３として、フックガード３０、錘５０、集魚部材５１、及びリップ４０を例示したが、装着部材３は、上述したものに限定されず、各種の部材を採用することができる。また、本実施形態では、装着口２０が、本体部１０に対して１つだけ設けられている構成を例示したが、装着口２０は、釣場の環境や釣魚の種類に応じて、複数設けられていてもよい。例えば、フックを複数有するルアー１の場合は、フック毎に装着口２０及びフックガード３０が複数設けられていてもよい。また、装着口２０を設ける位置は、装着部材３の種類に応じて、適宜変更することができる。例えば、集魚部材５１を装着部材３として用いる場合は、装着口２０が、フックの前方側以外の場所（例えば、尻部１１ｄ等）に設けられていてもよい。また、装着口２０の形状や大きさ、あるいは、形成方向は、取付部４４（ワイヤ取付部３４を含む）の形状や大きさに合わせて、適宜変更することができる。また、ルアー１は、魚体に模したものだけではなく、各種の形態のものとすることができる。例えば、ルアー１が、カエルやエビ等に模したものや小動物に模した形状に形成されていてもよい。
【００９０】
本実施形態では、露出部４５が、水に対して抵抗を付与するリップ４０、錘５０、集魚部材５１又は、フックガード３０で形成されているものを例示したが、露出部４５は、釣場の環境や釣魚の種類に合わせて、各種のものに変更することができる。
【００９１】
本実施形態では締結部材２２が、ネジ２４及びナット２３で構成されているが、締結部材２２は、適宜変更することができる（例えば、ピン等）。また、本実施形態では、締結部材２２が脱着可能なものとしているが、固定孔２１に固定されるものでもよい。また、締結部材２２は、錘５０として作用しないものとすることもできる。
【００９２】
第二変形例では、露出部４５が、予めリップ形状に形成されたリップ４０を装着口２０に装着するものとしたが、リップ４０の取付部４４を装着口２０に収容した状態において、開口端２０ａを基点として、折り曲げ加工することによりリップ曲部４３を形成するようにしてもよい。かかる場合は、リップ４０として、一定の形状を保持可能で、折り曲げ加工可能な素材を用いるとよい。
【００９３】
第一曲部３２及び第二曲部３３等の曲部は、各種の形状に形成することができる。また、取付部４４（ワイヤ取付部３４を含む）の形状や大きさは、装着口２０に合わせて、適宜変更することができる。
【００９４】
本実施形態では、ワイヤの略中央に第一曲部３２が形成されているが、第一曲部３２を形成する位置は、適宜変更することができる。例えば、第一曲部３２を、ワイヤの一端側寄りに形成し、第二曲部３３を１カ所だけ設けることにより、線材部３５が１本のワイヤで形成されるようにしてもよい。かかる場合は、ワイヤ取付部３４をフック状に形成すればよい。
【００９５】
本実施形態では、一対の第二曲部３３，３３が、それぞれ左右対称となるように形成されているが、第二曲部３３，３３の曲げ方向が、それぞれ異なるものとしてもよい。また、第二曲部３３は、装着口２０に収容された状態で形成されるものや、装着口２０に収容される前に事前に形成されるものなど、第二曲部３３の形成するタイミングは、適宜変更することができる。
【００９６】
本実施形態では、線材部３５Ｌ，３５Ｒが、一対のワイヤで形成されると共に、第二曲部３３から両端部に向けて拡幅されているものを例示したが、線材部３５Ｌ，３５Ｒは、フックの形状や大きさに合わせて各種の形状や大きさに形成することができる。例えば、線材部３５Ｌ，３５Ｒの両端部が拡幅されていないものとしてもよい。また、線材部３５Ｌ，３５Ｒの長さが互いに異なるものや、線材部３５Ｌ，３５Ｒのいずれか一方が存在しないものとすることも可能である。また、線材部３５が３本以上の複数本のワイヤで形成されていてもよい。
【００９７】
第二実施形態では、懸架部３７が、円環状に形成されているが、懸架部３７は、円環状のものだけではなく、各種の形状や大きさのものを採用することができる。また、本実施形態では、フックガード３０における線材部３５Ｌ，３５Ｒが、第一曲部３２、第二曲部３３、及び第三曲部３６を設ける構成を例示したが、本発明は、これに限定されるものではなく、一又は複数の曲部を有するものとすることができる。例えば、複雑な形状のリップを有するルアーにフックガード３０を設ける場合は、リップの形状に合わせて、複数の曲部を形成すればよい。これにより、リップに阻害されずにフックガード３０を適正に機能させることができる。懸架部３７は、線材部３５Ｌ，３５Ｒのいずれか一方に設けるものや、懸架部３７を排することもできる。
【００９８】
第二実施形態では、リップ１８が設けられたルアー１Ｂにおいて、フックガード３０Ｂに懸架部３７を設けているが、第一実施形態のようにリップ１８を有しないルアー１Ａにおいて、懸架部３７を設けることもできる。
【００９９】
以上が、本発明の実施形態と変形例であるが、本発明は上述した実施形態や変形例において例示したものに限定されるものではなく、特許請求の範囲を逸脱しない範囲でその教示及び精神から他の実施形態があり得ることは当業者に容易に理解できよう。
【産業上の利用可能性】
【０１００】
本発明のルアー及びフックガードは、漁業やレジャーにおける魚釣り等に好ましく利用することができる。
【符号の説明】
【０１０１】
１  ：ルアー
１Ａ：ルアー
１Ｂ：ルアー
３  ：装着部材
１０  ：本体部
２０  ：装着口
２０ａ：開口端
２１  ：固定孔
２２  ：締結部材
２３  ：ナット（締結部材）
２３ａ：錘
２４  ：ネジ（締結部材）
３０Ａ：フックガード（装着部材）
３０Ｂ：フックガード（装着部材）
３２  ：第一曲部
３３  ：第二曲部
３４  ：ワイヤ取付部（取付部）
３５Ｌ：線材部（露出部）
３５Ｒ：線材部（露出部）
３６  ：第三曲部
４０  ：リップ（装着部材）
４４  ：取付部
５０  ：錘
５１  ：集魚部材
【要約】
【課題】根掛り防止用のフックガードを確実に取り付けることができるルアーを提供すること。
【解決手段】ルアー１は、本体部１０が、装着部材３を取り付けるための装着口２０と、装着口２０に連通する固定孔２１とを有しており、装着部材３が、ワイヤと、第一曲部３２と、第一曲部３２と所定の間隔を空けた位置に形成された第二曲部３３と、装着口２０に収容可能なワイヤ取付部３４と、第二曲部３３を基点として下方へ延びるように形成された線材部３５とを有する。ルアー１は、装着口２０が、本体部１０の外側から内側に向けて形成されており、固定孔２１が、本体部１０の外側から内側に向けて形成されると共に装着口２０に対して交差する方向に形成されており、装着口２０にワイヤ取付部３４が収容された状態において、固定孔２１に締結部材２２が挿通されることにより、ワイヤ取付部３４と締結部材２２とが係合して固定されることを特徴とする。
【選択図】図４【図１】
0006933419.tif 000002
【図２】
0006933419.tif 000003
【図３】
0006933419.tif 000004
【図４】
0006933419.tif 000005
【図５】
0006933419.tif 000006
【図６】
0006933419.tif 000007
【図７】
0006933419.tif 000008
【図８】
0006933419.tif 000009
【図９】
0006933419.tif 000010